【手続補正書】
【提出日】平成20年10月6日(2008.10.6)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、そして全体として正の屈折力を有する後群より成り、該後群は正の屈折力の第３レンズ群、負の屈折力の第４レンズ群、正の屈折力の第５レンズ群より成り、該第１レンズ群と第２レンズ群の間隔及び該第２レンズ群と後群との間隔を変えて、ズーミングを行うズームレンズにおいて、該第２レンズ群は３枚の負レンズと２枚の正レンズを有し、第２レンズ群中の最も正の屈折力の強い正レンズの材料のアッベ数及び部分分散比を各々νｄ、θｇＦとするとき、
３０  ＜  νｄ
θｇＦ  ＜  −１．７９×１０−３・νｄ  ＋０．６５４
なる条件を満足することを特徴とするズームレンズ。
【請求項２】
前記第２レンズ群は物体側より像側へ順に、像側の面が凹でメニスカス形状の負レンズ、負レンズ、正レンズ、負レンズ、正レンズより成ることを特徴とする請求項１のズームレンズ。
【請求項３】
前記第３レンズ群及び第５レンズ群の少なくともひとつの正レンズの材料の部分分散比をθｇＦａ、アッベ数をνｄａとするとき、
−０.００１５×νｄａ＋０.６４２５＜θｇＦａ
６０  ＜  νｄａ
なる条件を満足することを特徴とする請求項１又は２のズームレンズ。
【請求項４】
前記第２レンズ群は少なくとも１つの非球面を有することを特徴とする請求項１、２又は３のズームレンズ。
【請求項５】
前記第１レンズ群と、前記第２レンズ群の焦点距離を各々ｆ１、ｆ２、広角端と望遠端における全系の焦点距離を各々ｆｗ、ｆｔとするとき
【数１】
2007108398.tif 000001
なる条件を満足することを特徴とする請求項１から４のいずれか１項のズームレンズ。
【請求項６】
物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、広角端から望遠端へのズーミングに際し、各レンズ群間の空気間隔が変化するように、各レンズ群が移動するズームレンズにおいて、ｉを物体側から像側へ数えたときの順序を示し、広角端及び、望遠端における第ｉレンズ群と第ｉ＋１レンズ群の空気間隔を各々Ｄｉｗ，Ｄｉｔ、第ｉレンズ群の焦点距離をｆｉとするとき、
Ｄ１ｗ  ＜  Ｄ１t
Ｄ２ｗ  ＞  Ｄ２t
Ｄ３ｗ  ＜  Ｄ３t
Ｄ４ｗ  ＞  Ｄ４t
１．５＜ｆ３／｜ｆ２｜＜２．５
２＜｜ｆ４／ｆ２｜＜３．５
２＜ｆ５／｜ｆ２｜＜５
なる条件を満足することを特徴とするズームレンズ。
【請求項７】
前記第２レンズ群を光軸方向に移動させてフォーカシングを行うことを特徴とする請求項１から６のいずれか１項のズームレンズ。
【請求項８】
前記第４レンズ群の全部又は一部のレンズ群を光軸と垂直方向の成分を持つように移動させて結像位置の変移を行うことを特徴とする請求項１から７のいずれか１項のズームレンズ。
【請求項９】
広角端でのバックフォーカスをＳＫｗ、広角端における全系の焦点距離をｆｗとするとき、
１．８  ＜ＳＫｗ／ｆｗ＜    ２．９
なる条件を満足することを特徴とする請求項１から８のいずれか１項のズームレンズ。
【請求項１０】
固体撮像素子に像を形成することを特徴とする請求項１乃至９のいずれか１項に記載のズームレンズ。
【請求項１１】
請求項１乃至１０のいずれか１項のズームレンズと、該ズームレンズによって形成された像を受光する固体撮像素子を有することを特徴とする撮像装置。
【手続補正２】
【補正対象書類名】明細書
【補正対象項目名】００１６
【補正方法】変更
【補正の内容】
【００１６】
本発明のズームレンズは、
◎物体側より像側へ順に、正の屈折力の第１レンズ群、負の屈折力の第２レンズ群、そして全体として正の屈折力を有する後群より成り、該後群は正の屈折力の第３レンズ群、負の屈折力の第４レンズ群、正の屈折力の第５レンズ群より成り、該第１レンズ群と第２レンズ群の間隔及び該第２レンズ群と後群との間隔を変えて、ズーミングを行うズームレンズにおいて、該第２レンズ群は３枚の負レンズと２枚の正レンズを有し、第２レンズ群中の最も正の屈折力の強い正レンズの材料のアッベ数及び部分分散比を各々νｄ、θｇFとするとき、
３０  ＜  νｄ                                      ‥‥‥（１）
θｇＦ  ＜  −１．７９×１０−３・νｄ  ＋０．６５４    ‥‥‥（２）
なる条件を満足することを特徴としている。
【手続補正３】
【補正対象書類名】明細書
【補正対象項目名】００１７
【補正方法】変更
【補正の内容】
【００１７】
◎物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、広角端から望遠端へのズーミングに際し、各レンズ群間の空気間隔が変化するように、各レンズ群が移動するズームレンズにおいて、ｉを物体側から像側へ数えたときの順序を示し、広角端及び、望遠端における第iレンズ群と第i+１レンズ群の空気間隔を各々Ｄｉｗ，Ｄｉｔ、第ｉレンズ群の焦点距離をｆｉとするとき、
Ｄ１ｗ  ＜  Ｄ１t
Ｄ２ｗ  ＞  Ｄ２t
Ｄ３ｗ  ＜  Ｄ３t
Ｄ４ｗ  ＞  Ｄ４t
１．５＜ｆ３／｜ｆ２｜＜２．５          ‥‥‥（７）
２＜｜ｆ４／ｆ２｜＜３．５              ‥‥‥（８）
２＜ｆ５／｜ｆ２｜＜５                  ‥‥‥（９）
なる条件を満足することを特徴としている。
【手続補正４】
【補正対象書類名】明細書
【補正対象項目名】００７０
【補正方法】変更
【補正の内容】
【００７０】
１．９＜ＳＫｗ／ｆｗ＜２．５・・・（１０ａ）
ｉを物体側から像側へ数えたときの順序を示し、広角端及び望遠端における第ｉレンズ
群と第ｉ＋１レンズ群のレンズ群間の空気間隔をＤｉｗ，Ｄｉｔとするとき、
Ｄ１ｗ  ＜  Ｄ１t
Ｄ２ｗ  ＞  Ｄ２t
Ｄ３ｗ  ＜  Ｄ３t
Ｄ４ｗ  ＞  Ｄ４t
なる条件を満足している。
【手続補正５】
【補正対象書類名】明細書
【補正対象項目名】００７４
【補正方法】変更
【補正の内容】
【００７４】
第４レンズ群の全部又は一部のレンズ群を光軸と垂直方向の成分を持つように移動させて結像位置の変移を行っている。具体的には、第４レンズ群Ｌ４を負の屈折力の第４ａレンズ群Ｌ４ａと負の屈折力の第４ｂレンズ群Ｌ４ｂに分割し、第４ａレンズ群Ｌ４ａを光軸と略垂直方向の成分を持つように移動させて、手ぶれ等による画像ブレの劣化を防止する、所謂、防振を行なっている。
【手続補正６】
【補正対象書類名】明細書
【補正対象項目名】００８３
【補正方法】変更
【補正の内容】
【００８３】
次に実施例１〜４に示したズームレンズを撮像装置に適用した実施例を図１３を用いて説明する。
【手続補正７】
【補正対象書類名】明細書
【補正対象項目名】００８４
【補正方法】変更
【補正の内容】
【００８４】
図１３は一眼レフカメラの要部概略図である。図１３において、１０は実施例１〜４のズームレンズ１を有する撮影レンズである。ズームレンズ１は保持部材である鏡筒２に保持されている。２０はカメラ本体であり、撮影レンズ１０からの光束を上方に反射するクイックリターンミラー３、撮影レンズ１０の像形成位置に配置された焦点板４、焦点板４に形成された逆像を正立像に変換するペンタダハプリズム５、その正立像を観察するための接眼レンズ６等によって構成されている。７は感光面であり、ＣＣＤセンサやＣＭＯＳセンサ等の像を受光する固体撮像素子（光電変換素子）や銀塩フィルムが配置される。撮影時にはクイックリターンミラー３が光路から退避して、感光面７上に撮影レンズ１０によって像が形成される。